(57)【要約】【課題】  近年になって千社札等のシールの印刷装置が観光地等に多く設置されるようになり、印刷装置のプレゼンテーションパネルにご当地の旅館・ホテル、土産物店、飲食店、観光施設等の情報を表示することも考えられたが、情報を１枚のパネルに表示したのでは少ない数の情報しか表示できないといった問題があった。【解決手段】  設置場所に応じた選択画面が表示されたタッチパネル３をタッチして千社札や写真・イラストを印刷してシールを作成するシール印刷装置であって、操作者が選択あるいはランダムに選択された広告等の情報をディスプレイ７で表示し、該選択された情報を操作者が作成した千社札や写真・イラストと共にシールにも印刷することを特徴とする情報表示用ディスプレイ付きシール印刷装置である。【選択図】        図２
2010046887.tif 000002
【特許請求の範囲】
【請求項１】
選択画面が表示されたタッチパネルをタッチして千社札や写真・イラストを印刷してシールを作成するシール印刷装置であって、
前記印刷装置の上方に設置され文字や図形を表示するディスプレイと、
シールに印刷される写真やイラストや前記タッチパネルで表示する文字や図形画像および前記ディスプレイで表示する本装置が設置される地域の広告や観光案内、一般企業の広告等の情報が記憶され、さらに、シールを作成する操作方法のアナウンスおよび文字入力用画面が記憶された記憶装置と、
前記タッチパネルに表示された写真やイラストや文字情報をタッチパネルによって選択操作を行うと、ランダムあるいはタッチパネルで選択した本装置が設置される地域の広告や観光案内、一般企業の広告等の情報を前記記憶装置から読み出し前記ディスプレイで表示する中央処理装置とから構成し、
全ての操作が終了すると前記中央処理装置は、前記タッチパネルには印刷画面前記タッチパネルで選択された写真やイラストを表示し、印刷指令を行うことでシールに印刷することを特徴とする情報表示用ディスプレイ付きシール印刷装置。
【請求項２】
選択画面が表示されたタッチパネルをタッチして千社札や写真・イラストを印刷してシールを作成するシール印刷装置であって、
前記印刷装置の上方に設置され文字や図形を表示するディスプレイと、
シールに印刷される写真やイラストが記憶され、また、前記タッチパネルで表示する文字や図形画像が記憶され、さらに、シールを作成する操作方法のアナウンスおよび文字入力用画面が記憶された記憶装置と、
本装置が設置される地域の広告や観光案内、一般企業の広告、天気状況、交通情報等の情報が記憶されている他所に設置されたサーバと、
該サーバと通信回線を介して接続され、前記記憶装置に記憶されているタッチパネルに表示される写真やイラストや文字情報をタッチパネルによって選択操作を行うと、ランダムあるいはタッチパネルで選択した写真やイラストに関連する情報を前記通信回線を介して前記サーバにアクセスして読み込み前記ディスプレイで表示する中央処理装置とから構成し、
全ての操作が終了すると前記中央処理装置は、前記タッチパネルには印刷画面前記タッチパネルで選択された写真やイラストを表示し、印刷指令を行うことでシールに印刷することを特徴とする情報表示用ディスプレイ付きシール印刷装置。
【請求項３】
選択画面が表示されたタッチパネルをタッチして千社札や写真・イラストを印刷してシールを作成するシール印刷装置であって、
前記印刷装置の上方に設置され文字や図形を表示するディスプレイと、
シールに印刷される写真やイラストや前記タッチパネルで表示する文字や図形画像および本装置が設置される地域の広告や観光案内、一般企業の広告、天気予報等の情報が記憶され、さらに、シールを作成する操作方法のアナウンスおよび文字入力用画面が記憶された記憶装置と、
該記憶装置に記憶されていない観光案内、一般企業の広告、天気予報等の情報が記憶され、かつ、記憶装置に記憶されている情報の追加や書換えを可能とする他所に設置されたサーバと、
前記タッチパネルに表示された写真やイラストや文字情報をタッチパネルによって選択操作を行うと、ランダムあるいはタッチパネルで選択した写真やイラストや文字に関連する情報を前記記憶装置から読み出し、かつ、選択された情報が記憶装置に存在しない情報である場合には前記サーバにアクセスして選択された情報を取込み前記ディスプレイで表示する中央処理装置とから構成し、
全ての操作が終了すると前記中央処理装置は、前記タッチパネルには印刷画面前記タッチパネルで選択された写真やイラストを表示し、印刷指令を行うことでシールに印刷することを特徴とする情報表示用ディスプレイ付きシール印刷装置。
【請求項４】
前記中央処理装置は、全ての操作が終了し印刷画面の表示において、タッチパネルで選択された写真やイラストや文字と前記ディスプレイで表示された広告等の情報の内容がタッチパネル上のシールの一部に表示されると共に、印刷終了時に前記広告等の情報も同時にシールの一部に印刷することを特徴とする請求項１乃至３の何れかに記載の情報表示用ディスプレイ付きシール印刷装置。
【請求項５】
前記シールに印刷される前記広告等の情報の印刷部分にはクーポン券が印刷されることを特徴とする請求項４記載の情報表示用ディスプレイ付きシール印刷装置。
【請求項６】
前記ディスプレイに表示される情報が、広告、気象情報、設置された地域の情報であることを特徴とする請求項１乃至３の何れかに記載の情報表示用ディスプレイ付きシール印刷装置。
【発明の詳細な説明】
【技術分野】
【０００１】
本発明は、タッチパネル上に表示されている文字や図柄をタッチすることで千社札等のシールを印刷する装置であって、該印刷装置によってシールを作成するために前記タッチパネルをタッチすることで、印刷装置が設置されている地域、例えば、観光地の観光組合に加入している旅館・ホテル、土産物店、飲食店、観光施設の情報や一般企業の広告情報を、前記タッチパネルとは別に設けられているディスプレイで表示する情報表示用ディスプレイ付きシール印刷装置に関する。
【背景技術】
【０００２】
従来における例えば、千社札の印刷シールの作成装置としては、特開２０００−２８０５６１に開示された発明がある。この発明は、千社札作成機のタッチパネルに表示されている文字や図柄をタッチ操作しながら好みの文字や図形を選択すると共に、タッチパネルに表示された平仮名をタッチして自分の名前などを組み入れて千社札デザインを作成し、その操作が終了したならプリンタで印刷することで１枚のシールに十分でデザインした上記千社札が複数印刷されたシールを得る装置である。
【特許文献１】特開２０００−２８０５６１号公報
【発明の開示】
【発明が解決しようとする課題】
【０００３】
ところで、前記した千社札の印刷シールの作成装置の発明にはタッチパネルの上方にプレゼンテーションパネルが設けられていることが図示されているが、このパネルは装置や操作の説明が印刷記載された単なる固定画パネルであって表示内容が何ら変化するものではなく、千社札に興味を示さない人にとっては見向きもされないものであった。
【０００４】
また、近年になって千社札等のシールの印刷装置が観光地等に多く設置されるようになり、前記した固定画パネルにご当地の旅館・ホテル、土産物店、飲食店、観光施設等の情報を表示することも考えられたが、情報を１枚のパネルに表示したのでは少ない数の情報しか表示できないといった問題があった。
【０００５】
本発明は前記した問題点を解決せんとするもので、その目的とするところは、前記プレゼンテーションパネルに変えて広告用パネルを液晶型のディスプレイとし、このディスプレイで印刷装置内に設けたコンピュータにおけるＲＡＭに記憶されているご当地の情報を、あるいは通信回線を介して他所に設置されているサーバから各種の情報を取り込んで表示することで、旅行者等にご当地の各種情報や、その他の情報を見せることで装置自体にも興味を抱かせることができると共にシール発行までの時間を飽きさせることがない情報表示用ディスプレイ付きシール印刷装置を提供せんとするにある。
【課題を解決するための手段】
【０００６】
本発明の情報表示用ディスプレイ付きシール印刷装置は前記した目的を達成せんとするもので、請求項１の手段は、選択画面が表示されたタッチパネルをタッチして千社札や写真・イラストを印刷してシールを作成するシール印刷装置であって、前記印刷装置の上方に設置され文字や図形を表示するディスプレイと、シールに印刷される写真やイラストや前記タッチパネルで表示する文字や図形画像および前記ディスプレイで表示する本装置が設置される地域の広告や観光案内、一般企業の広告等の情報が記憶され、さらに、シールを作成する操作方法のアナウンスおよび文字入力用画面が記憶された記憶装置と、前記タッチパネルに表示された写真やイラストや文字情報をタッチパネルによって選択操作を行うと、ランダムあるいはタッチパネルで選択した本装置が設置される地域の広告や観光案内、一般企業の広告等の情報を前記記憶装置から読み出し前記ディスプレイで表示する中央処理装置とから構成し、全ての操作が終了すると前記中央処理装置は、前記タッチパネルには印刷画面前記タッチパネルで選択された写真やイラストを表示し、印刷指令を行うことでシールに印刷することを特徴とする。
【０００７】
請求項２の手段は、選択画面が表示されたタッチパネルをタッチして千社札や写真・イラストを印刷してシールを作成するシール印刷装置であって、前記印刷装置の上方に設置され文字や図形を表示するディスプレイと、シールに印刷される写真やイラストが記憶され、また、前記タッチパネルで表示する文字や図形画像が記憶され、さらに、シールを作成する操作方法のアナウンスおよび文字入力用画面が記憶された記憶装置と、本装置が設置される地域の広告や観光案内、一般企業の広告、天気状況、交通情報等の情報が記憶されている他所に設置されたサーバと、該サーバと通信回線を介して接続され、前記記憶装置に記憶されているタッチパネルに表示される写真やイラストや文字情報をタッチパネルによって選択操作を行うと、ランダムあるいはタッチパネルで選択した写真やイラストに関連する情報を前記通信回線を介して前記サーバにアクセスして読み込み前記ディスプレイで表示する中央処理装置とから構成し、全ての操作が終了すると前記中央処理装置は、前記タッチパネルには印刷画面前記タッチパネルで選択された写真やイラストを表示し、印刷指令を行うことでシールに印刷することを特徴とする。
【０００８】
請求項３の手段は、選択画面が表示されたタッチパネルをタッチして千社札や写真・イラストを印刷してシールを作成するシール印刷装置であって、前記印刷装置の上方に設置され文字や図形を表示するディスプレイと、シールに印刷される写真やイラストや前記タッチパネルで表示する文字や図形画像および本装置が設置される地域の広告や観光案内、一般企業の広告、天気予報等の情報が記憶され、さらに、シールを作成する操作方法のアナウンスおよび文字入力用画面が記憶された記憶装置と、該記憶装置に記憶されていない観光案内、一般企業の広告、天気予報等の情報が記憶され、かつ、記憶装置に記憶されている情報の追加や書換えを可能とする他所に設置されたサーバと、前記タッチパネルに表示された写真やイラストや文字情報をタッチパネルによって選択操作を行うと、ランダムあるいはタッチパネルで選択した写真やイラストや文字に関連する情報を前記記憶装置から読み出し、かつ、選択された情報が記憶装置に存在しない情報である場合には前記サーバにアクセスして選択された情報を取込み前記ディスプレイで表示する中央処理装置とから構成し、全ての操作が終了すると前記中央処理装置は、前記タッチパネルには印刷画面前記タッチパネルで選択された写真やイラストを表示し、印刷指令を行うことでシールに印刷することを特徴とする。
【０００９】
請求項４の手段は、前記した請求項１乃至３の何れかにおいて、前記中央処理装置は、全ての操作が終了し印刷画面の表示において、タッチパネルで選択された写真やイラストや文字と前記ディスプレイで表示された広告等の情報の内容がタッチパネル上のシールの一部に表示されると共に、印刷終了時に前記広告等の情報も同時にシールの一部に印刷することを特徴とする。
【００１０】
請求項５の手段は、前記した請求項４において、前記シールに印刷される前記広告等の情報の印刷部分にはクーポン券が印刷されることを特徴とする。
【００１１】
請求項６の手段は、前記した請求項１乃至３の何れかにおいて、前記ディスプレイに表示される情報が、広告、気象情報、設置された地域の情報であることを特徴とする。
【発明の効果】
【００１２】
本発明の請求項１にあっては、設置場所に適した写真・イラストや文字情報を記憶装置に記憶させ、操作者が好みの写真・イラストや文字情報をタッチパネルで選択すると、ランダムあるいはタッチパネルで選択した情報に関連する広告等の情報が前記記憶装置から読み出され前記ディスプレイで表示され、前記タッチパネルで選択された写真やイラストとディスプレイで表示された広告の内容が出来上がったシールの広告スペースに印刷されるとともに、シールを作成する操作者はディスプレイの画像を見ながら印刷が完了するのを待つことができるので飽きることがなく、また、設置されている場所の情報（例えば、土産情報等）によって前もってどんな土産物を購入すれば良いかの思考に役に立つものである。
【００１３】
また、請求項２にあっては、前記ランダムあるいはタッチパネルで選択した情報に関連する、広告や天気状況、交通情報などの時系列情報等の大容量の情報を印刷装置と通信回線を介して接続されている他所に配置されているサーバに記憶させ、必要に応じて印刷装置側に取り込みディスプレイで表示することにより、印刷装置側の記憶装置の容量を極めて小さくでき、大量に製造する印刷装置側の記憶装置のコストの低減を図ることができる。
【００１４】
さらに、請求項３にあっては、前記ランダムあるいはタッチパネルで選択した情報に関連する広告等の情報を印刷装置側の記憶装置に記憶させておき、該記憶装置に記憶されていない前記情報は、印刷装置と通信回線を介して接続されている他所に配置されているサーバにアクセスして取り込むことでディスプレイで表示できるので、前記記憶装置の容量を小さなものを使用できて印刷装置のコスト低減を図ることができ、また、サーバからの指令によって記憶装置の内容の書き換えや追加および削除をすることができ、従って、記憶装置内の情報を常に新しいものとすることができる。
【００１５】
また、請求項４にあっては、タッチパネルで選択された写真やイラストの選択された情報等がディスプレイで表示されると共にタッチパネルの印刷画面において千社札等のシールの一部に表示され、かつ、印刷操作を行うことで印刷も行われるので、出来上がったシールに印刷された情報を見ることで必要な情報を確認することできる。
【００１６】
さらに、請求項５にあっては、印刷されたシールの広告欄にクーポン券を印刷することで、操作者にとって喜ばしいシールを得ることができるので、スポンサーの広告機能が十分発揮できる等の効果を有するものである。
【発明を実施するための最良の形態】
【００１７】
本発明は、シール印刷装置にディスプレイを一体的に配置し、該ディスプレイには、操作者が選択し、あるいは、ランダムに選択された広告等の各種の情報が表示され、また作成したシールの一部には前記各種の情報も印刷される。
【実施例１】
【００１８】
以下、本発明に係る情報表示用ディスプレイ付きのシール印刷装置によって千社札を印刷する場合の一実施例を図面と共に説明する。
図１は千社札等の広告用ディスプレイ付きのシール印刷装置の斜視図であって、筐体１内には図２に示すコンピュータ２が内蔵されており、タッチパネル式液晶ディスプレイであるタッチパネル３が取付けられ、前面にはコイン投入口４ａから投入されたコインの真偽およびコインの枚数を計数し釣銭がある時には釣銭を排出するコインセレクター４が取付けられている。
【００１９】
また、操作者が操作して出来上がった千社札を印刷するプリンタ５が内蔵され、さらに、図１には図示していないが筐体１の所望個所にスピーカ６が内蔵されている。また、前記筐体１の上方背面側には起立した状態で設置され、観光組合に加入している旅館・ホテル、土産物店、飲食店、観光施設の情報や一般企業の広告情報である広告データ（動画や静止画と音声、なお、音声は必ずしも必要ではない）によって広告を行なう広告用ディスプレイ７が取付けられている。なお、８は前記プリンタ５によって印刷された千社札等のシールの排出口である。なお、広告用の音声を放音するスピーカは後述するスピーカ６よりの音声との判別が行なえるように広告用ディスプレイ７に取付けることが望ましい。
【００２０】
次に、図２に示した回路ブロック図について説明する。
コンピュータ２はサーバ９とのデータのやり取りが通信回線（インターネット経由あるいは専用回線）を介して可能な通信機能を有する中央処理装置であるＣＰＵ２ａと、図３〜図４に示すフローチャートの処理を行うプログラム、千社札の画像データ、文字入力用のキーボード画像データ、千社札を作成する操作者に対して操作方法を説明する音声データ等が記録されたＲＯＭ２ｂと、前記サーバ３から通信回線を介して送られてくる新規な広告データが追加され、また、新規な広告データと古い広告データとの書き換えが行なわれ、あるいは、記憶されている広告データを削除する指令によって削除が行なわれるＲＡＭ２ｃが内蔵されている。
【００２１】
そして、ＣＰＵ２ａからのバスラインの入力側にはタッチパネル３、コインセレクター４が接続され、出力側にはプリンタ５、スピーカ６および広告用ディスプレイ７が接続されている。
【００２２】
そして、待機時（千社札を作成するための操作が行なわれていない時）には、広告用ディスプレイ７においては前記ＲＡＭ２ｃに内蔵され、かつ、予め選択された広告データのみが繰り返し表示されている。
【００２３】
この状態において、操作者が千社札を得ようとして操作を行なった場合の動作について図３のフローチャートと共に説明する。
先ず、操作者による操作が開始される以前にはタッチパネル３にはデモ画面が表示されている（ステップＳ１）。この状態においてＣＰＵ２ａはタッチパネル３に操作者がタッチしたか否かの監視を行い（ステップＳ２）、タッチしたことを検出すると、操作方法を音声で説明するためのナレーションが開始される。
【００２４】
次いで、料金○○○円を投入しなさいとの音声がスピーカ６から放音されると共にタッチパネル３には料金投入画面が表示され料金投入を促し（ステップＳ３）、ＣＰＵ２ａはコインが投入されたか否かの監視を行い（ステップＳ４）、操作者がコインをコインセレクター４の投入口から投入すると、該コインセレクター４がコインまたは紙幣の真偽を確認して釣銭が発生した場合には釣銭を排出口から出す動作を行って、次のステップ（図４に示すフローチャート）である挿絵千社札（図５参照）の作成画面に移行する。
【００２５】
先ず、操作者が表示されている挿絵千社札部分をタッチすると、多種多様の図柄である挿絵を中から操作者が選択する画面が表示される（ステップＳ５）。すなわち、観光組合に加入している前記した旅館・ホテル、土産物店、飲食店、観光施設の情報や一般企業の広告情報である静止画像が表示される。そして、  挿絵千社札部分がタッチされるとＣＰＵ２ａは多数の挿絵の中から操作者が挿絵を選択したか否かを監視し（ステップＳ６）、操作者が挿絵の中から希望する挿絵（例えば、図５に示す観光組合に加入している地ビール会社のビールマーク）が選択されると、選択された地ビール会社の広告情報をＲＡＭ２ｃからディスプレイ７に送信し、動画や静止画で表示すると共に音声を放音して（ステップＳ７）、操作者に広告に対する興味を抱かせる。
【００２６】
また、前記挿絵を選択する画面に挿絵としては表示されてはいるが、ＲＡＭ２ｃの記憶容量の問題から記憶されていない場合には、通信回線を介してサーバ９にアクセスし、選択された挿絵の広告情報をＲＡＭ２ｃを介在することなくディスプレイ７に出力することも可能である。例えば、図６に示す全国的に有名なペットボトル茶の製造会社等の一般企業が、全ての本発明に係る印刷装置から広告情報を流したいような場合には、印刷装置の全てのＲＡＭ２ｃに記憶させると大きな記憶容量のＲＡＭを装備することになるため、印刷装置その物のコストが高価なものとなるため、もともと容量の大きなサーバ９に記憶させることがコスト面から有利となるからである。
【００２７】
このようにディスプレイ７において選択した挿絵に対応する広告情報が表示されている状態において、タッチパネル３には地紋選択画面が表示される（ステップＳ８）。ここで、地紋とは前記挿絵の下側に印刷される模様であり、多種多様の地紋が表示され、ＣＰＵ２ａはどの地紋が選択されたか否かを監視する（ステップＳ９）。地紋が選択されたとＣＰＵ２ａが判断すると千社札に挿入する氏名等の文字を入力するための文字入力画面を表示する（ステップＳ１０）。この文字入力画面は、ワードプロセッサーでのひらがな入力と同様に、ひらがな文字を選択して漢字変換を行う。つまり、ひらがな、濁音マーク、半濁音マーク、一字開け、１文字削除、文字変換した漢字の候補選択、戻り等のキー画像がタッチパネル上に表示されている。
【００２８】
そして、ＣＰＵ２ａはこの文字入力画面における文字入力が終了したか否かの監視を行い（ステップＳ１１）、文字入力が終了した「図５にあっては（平成太郎）の氏名、図６にあっては（さとし）の名前」と判断すると、次に、入力した文字の書体をどのように表現するかのフォント選択画面を表示する（ステップＳ１２）。このフォント選択画面では相撲文字や歌舞伎文字等の千社札に適した各種の書体がタッチパネル上に表示される。この表示においてＣＰＵ２ａはフォントの選択が終了したか否かの監視し（ステップＳ１３）、フォントの選択が終了したと判断すると差し札文字選択画面を表示する（ステップＳ１４）。
【００２９】
この差し札画面は「家内安全」「入学祈願」「商売繁盛」「必勝祈願」等の定形的な文字や熟語等の文字が記載される短冊札である。そして、ＣＰＵ２ａは多数の差し札の文字の中から操作者が選択したか否かを監視し（ステップＳ１５）、差し札の文字の中から希望する文字が選択されたと判断すると、次のステップである印刷見本画面（ステップＳ１６）を表示する。
【００３０】
前記ステップＳ１４において操作者が例示された定型的な文字以外の文字を表示したいと思う場合には、前記差し札文字選択画面の右上隅に表示されている文字選択移行ボタンにタッチすると文字入力画面が表示される（ステップＳ１６）。操作者は前記氏名等の文字入力と同様な方法によって、差し札に組み込みたい文字「例えば、図６に示す（ぐんぐん組）」を入力する。そして、この文字入力画面の状態においてＣＰＵ２ａは文字が入力されたか否かを監視し（ステップＳ１７）、文字の入力が終了したと判断すると、前記した印刷画面が表示される（ステップＳ１８）。
【００３１】
この印刷画面には操作者が挿絵の操作において選択した地ビール会社の広告や、一般企業の広告とクーポン券が千社札とは別に余白部分に表示されるようにＣＰＵ２ａにはソフトが組み込まれており、後述する印刷が終了した段階で、この印刷部分を基紙より剥離して地ビール販売所やお茶の販売店に持参することで、割引料金で飲むことができるようにしてもよい。なお、各千社札の大きさや配列および広告部分の位置や大きさは予め設定されているものとする。
【００３２】
このステップＳ１８において、ＣＰＵ２ａは印刷指示が行われたか否かの監視を行い（ステップＳ１９）、ここで、操作者がこの画面の画像で良いと判断した場合には印刷の文字をタッチすることで、プリンタ５によるカラー印刷が開始され（ステップＳ２０）、例えば、図９に示す剥離シール千社札の印刷が行われ、印刷が終了すると排出口８より千社札シールが排出され、千社札作成印刷の全操作は終了する。
【００３３】
もし、印刷見本画面の画像を修正したいと思った場合には、各タッチパネルに表示されている戻る文字をタッチして修正したいと思っている画面まで戻り修正して、前記操作を繰り返し行って印刷見本画面まで戻ることで印刷を開始することが可能となる。
【００３４】
なお、前記した実施例にあっては、ＲＡＭ２ｃである記憶装置に広告情報等が記憶されており、該記憶装置に記憶されていない情報が選択されたような場合には、通信回線を介してサーバ９に記憶されている情報を印刷装置側に取り込んでディスプレイ７で表示したり印刷したりする場合について説明したが、前記記憶装置の容量が大きい場合（印刷装置として高価なものとなる）には全ての情報を記憶させることでサーバ９は不要であり、また、印刷装置内にＲＡＭ２ｃを内蔵せずに、サーバ９よりの情報を印刷装置側に取り込んで表示したり印刷することも可能である。
【実施例２】
【００３５】
前記した実施例は千社札を作成する方法について説明したが、千社札以外のシールを作成する場合について説明する。
なお、この実施例にあっては、ペットショップやデパート等のペットを販売して店舗等に設置した印刷装置の場合について説明するが、プロ野球の野球場やプロサッカーのサッカー場等に設置し、各プロチーム毎の選手写真やイラスト等を選択してシールに印刷可能となし、かつ、シールの一部に野球場やサッカー場で販売しているビール会社、飲料会社、軽食会社等の広告を印刷することも可能であり、また、観光地に設置される印刷装置にあっては、観光地の名所の写真やイラスト等を選択してシールに印刷可能となし、かつ、シールの一部に観光地の旅館・ホテル、土産物店、飲食店等の広告を印刷するようにしてもよい。
【００３６】
以下、ペット、例えば、犬や猫、小鳥などの愛玩動物の愛好家が多く集まるペットショップに設置した印刷装置を図７と共に説明する。なお、以下に説明する動作は前記した千社札の作成と略同じ動作であることから、特にフローチャートの図示は省略する。
【００３７】
タッチパネル３の初期画面には、データとして記憶されているペットの種類が多い場合にはペットの種類（犬、猫、鳥等）の図柄や文字が表示されており、操作者は先ず、希望するペット、例えば、犬ならば犬の図柄を選択する。なお、データとして記憶されているペットの種類や数が少ない場合には、タッチパネル３には全てのペットの写真や文字を表示してもよい。
【００３８】
データとして記憶されているペットの種類が多い印刷装置の場合には、タッチパネル３にペットの種類が表示されているので、操作者は希望するペット、この実施例では犬の写真・イラストをタッチすると、次に多数の種類の犬の写真や文字（例えば、ダックス、トイプードル、柴犬等）が表示されるので、その写真・イラストや文字をタッチすることでタッチした犬（実施例ではトイプードル）の写真・イラストが表示される。
【００３９】
そして、この写真で良いと思ったならば操作者はトイプードルの写真・イラストをタッチすると平仮名やローマ字の入力画面に変更されるので、例えば、犬の種類である「ＴＯＹ  ＰＯＯＤＬＥ」や操作者に関連する広告である「ＳＡＫＵＲＡ  ＣＯＯＫＩＥ」等の適宜文字をタッチパネル３にタッチしながら選択して入力する。なお、文字入力は操作者がローマ字、平仮名、漢字変換して所望の文言を入力することができる。
【００４０】
そして、文字の入力が終了したと判断すると、前記した印刷画面が表示される。この印刷画面には操作者が選択したトイプードルの写真やイラストが２枚と、最初に選択した犬に関連するスポンサー広告である「ワンちゃんと一緒に食事ができる本格的ストラン」が表示される。ここで、操作者がこの画面の画像で良いと判断した場合には印刷の文字をタッチすることで、プリンタ５によるカラー印刷が開始され、印刷が終了すると排出口８よりシールが排出され全操作は終了する。なお、広告欄にはクーポン券（割引券印刷）を印刷することが可能である。
【００４１】
この実施例においても、印刷装置のＲＡＭ２ｃ内に記憶されていない情報が選択された場合には通信回線を介してサーバ９にアクセスして情報を取り込むことは前記した千社札の場合と同様である。
【図面の簡単な説明】
【００４２】
【図１】本発明に係る広告用ディスプレイ付きシール印刷装置の外観を示す斜視図である。
【図２】同上の印刷装置の回路ブロック図である。
【図３】起動時の処理を示すフローチャートである。
【図４】挿絵千社札を作成するためのフローチャートである。
【図５】印刷された挿絵千社札の正面図である。
【図６】印刷された他の挿絵千社札の正面図である。
【図７】犬（トイプードル）を選択して印刷したシールの正面図である。
【符号の説明】
【００４３】
１          筐体
２          コンピュータ
２ａ        ＣＰＵ（中央処理装置）
２ｂ        ＲＯＭ
２ｃ          ＲＡＭ
３          タッチパネル
４          コインセレクター
５          プリンタ
６          スピーカ
７          ディスプレイ
８            排出口
９            サーバ
【図１】
2010046887.tif 000003
【図２】
2010046887.tif 000004
【図３】
2010046887.tif 000005
【図４】
2010046887.tif 000006
【図５】
2010046887.tif 000007
【図６】
2010046887.tif 000008
【図７】
2010046887.tif 000009